(57)【要約】【課題】既設配管に負担をかけずに容易且つ確実に低コストで補修できる配管の補修方法及びそれに用いる継手管を提供する。【解決手段】既設配管の所要箇所を配管の途中が欠落するように切除し、既設配管と同径且つ切除長さと略同じ長さの管部材の外周に同管部材の外径と同じ内径の環状のカバー管をスライド自在に２体嵌挿した継手管を用意し、同継手管をその管部材の両端部が露出するように各カバー管を内側へスライドさせた状態で既設配管の前記切除部分に既設配管と管部材が連通するように配置し、既設配管の切除両端部外周と継手管の管部材両端部外周に接着剤を塗布し、２体のカバー管を既設配管と管部材との継目が覆われるように既設配管側へそれぞれスライドし、各カバー管を既設配管と管部材に接着する。【選択図】          図１
2004156752.tif 000002
【特許請求の範囲】
【請求項１】
既設配管の所要箇所を配管の途中が欠落するように切除し、既設配管と同径且つ切除長さと略同じ長さの管部材の外周に同管部材の外径と同じ内径の環状のカバー管をスライド自在に２体嵌挿した継手管を用意し、同継手管をその管部材の両端部が露出するように各カバー管を内側へスライドさせた状態で既設配管の前記切除部分に既設配管と管部材が連通するように配置し、既設配管の切除両端部外周と継手管の管部材両端部外周に接着剤を塗布し、２体のカバー管を既設配管と管部材との継目が覆われるように既設配管側へそれぞれスライドし、各カバー管を既設配管と管部材に接着する配管の補修方法。
【請求項２】
既設配管の所要箇所を配管の途中が欠落するように切除し、既設配管と同径且つ切除長さと略同じ長さで分岐路を有する管部材の外周に同管部材の外径と同じ内径の環状のカバー管をスライド自在に２体嵌挿した継手管を用意し、同継手管をその管部材の両端部が露出するように各カバー管を内側へスライドさせた状態で既設配管の前記切除部分に既設配管と管部材が連通するように配置し、既設配管の切除両端部外周と継手管の管部材両端部外周に接着剤を塗布し、２体のカバー管を既設配管と管部材との継目が覆われるように既設配管側へそれぞれスライドし、各カバー管を既設配管と管部材に接着し、管部材の分岐路に枝管を増設できるようにした配管の補修方法。
【請求項３】
既設配管外周のカバー管スライド停止位置に掛止片を設け、カバー管のスライドを正確な位置で停止させて既設配管と管部材との継目を確実に被覆できるようにした請求項１又は２記載の配管の補修方法。
【請求項４】
接着剤を着色して補修箇所が容易に判別できるようにした請求項１〜３いずれか記載の配管の補修方法。
【請求項５】
既設配管と同径な所要長さの管部材外周に同管部材の外径と同じ内径の環状のカバー管をスライド自在に２体嵌挿した継手管。
【請求項６】
管部材が分岐路を有するものである請求項５記載の継手管。
【請求項７】
カバー管の両端外周に指を掛ける指掛け片を突設し、スライド時に力を入れ易いようにした請求項５又は６記載の継手管。
【発明の詳細な説明】
【０００１】
【発明の属する技術分野】
本発明は、配管の補修方法及びそれに用いる継手管に関する。
【０００２】
【従来の技術】
従来、ひび割れや欠損した既設配管の損傷箇所を補修する場合、既設配管の損傷箇所を配管の途中が欠落するように配管方向と直角に切除し、図７に示すように両端に既設配管２４の切除端に嵌挿する段差部２２を形成するとともに片方の内側に環状のゴムパッキン２３を装着した継手管２１を前記各切除端間に配置し、両端の段差部２２を切除端にそれぞれ嵌挿して片方のゴムパッキン２３の弾性力で嵌挿部をそれぞれ圧接していた。
【０００３】
ところで、前記構成の継手管２１は、その両端の少なくとも片方が既設配管２４の切除端に嵌挿する分だけ切除距離より突出しており、継手管２１を切除部分に配置する際、既設配管２４の切除両端を前記突出分押し広げる必要があり、既設配管２４に無理が掛かるとともに既設配管２４の材質や配管長さによっては嵌挿が不可能な場合があり、しかも切除寸法を正確にしないとゴムパッキン２３で圧接できず隙間Ｓを生じて気密性が低下し、さらに経年劣化の硬化でゴムパッキン２３がひび割れて同様に気密性が低下する問題があった。
【０００４】
また、図８に示すように切除距離と略同じ長さの補修管２５を切除端間に配置し、既設配管２４と補修管２５の継目に断面Ｔ字状のカバー管２６を接着剤２７で挿着する方法もある。しかしながら、この方法も前記と同様に既設配管２４の切除両端を押し広げないと挿着できないから、無理に行うと既設配管２４を傷めて耐久性を損なう問題があった。
【０００５】
【発明が解決しようとする課題】
本発明が解決しようとする課題は、従来のこれらの問題点を解消し、既設配管に負担をかけずに容易且つ確実に低コストで補修できる配管の補修方法及びそれに用いる継手管を提供することにある。
【０００６】
【課題を解決するための手段】
かかる課題を解決した本発明の構成は、
１）  既設配管の所要箇所を配管の途中が欠落するように切除し、既設配管と同径且つ切除長さと略同じ長さの管部材の外周に同管部材の外径と同じ内径の環状のカバー管をスライド自在に２体嵌挿した継手管を用意し、同継手管をその管部材の両端部が露出するように各カバー管を内側へスライドさせた状態で既設配管の前記切除部分に既設配管と管部材が連通するように配置し、既設配管の切除両端部外周と継手管の管部材両端部外周に接着剤を塗布し、２体のカバー管を既設配管と管部材との継目が覆われるように既設配管側へそれぞれスライドし、各カバー管を既設配管と管部材に接着する配管の補修方法
２）  既設配管の所要箇所を配管の途中が欠落するように切除し、既設配管と同径且つ切除長さと略同じ長さで分岐路を有する管部材の外周に同管部材の外径と同じ内径の環状のカバー管をスライド自在に２体嵌挿した継手管を用意し、同継手管をその管部材の両端部が露出するように各カバー管を内側へスライドさせた状態で既設配管の前記切除部分に既設配管と管部材が連通するように配置し、既設配管の切除両端部外周と継手管の管部材両端部外周に接着剤を塗布し、２体のカバー管を既設配管と管部材との継目が覆われるように既設配管側へそれぞれスライドし、各カバー管を既設配管と管部材に接着し、管部材の分岐路に枝管を増設できるようにした配管の補修方法
３）  既設配管外周のカバー管スライド停止位置に掛止片を設け、カバー管のスライドを正確な位置で停止させて既設配管と管部材との継目を確実に被覆できるようにした前記１）又は２）記載の配管の補修方法
４）  接着剤を着色して補修箇所が容易に判別できるようにした前記１）〜３）いずれか記載の配管の補修方法
５）  既設配管と同径な所要長さの管部材外周に同管部材の外径と同じ内径の環状のカバー管をスライド自在に２体嵌挿した継手管
６）  管部材が分岐路を有するものである前記５）記載の継手管
７）  カバー管の両端外周に指を掛ける指掛け片を突設し、スライド時に力を入れ易いようにした前記５）又は６）記載の継手管
にある。
【０００７】
【作用】
本発明によれば、継手管が既設配管と同径の管部材の外周に同管部材の外径と同じ内径の環状のカバー管をスライド自在に２体嵌挿した構成であるから、継手管両端部を露出させるように内側へスライドさせた状態で既設配管の切除部分に既設配管と継手管とが連通するように配置し、既設配管の切除両端部外周と継手管の露出させた両端部外周に接着剤を塗布し、２体のカバー管を既設配管と継手管との継目が覆われるように既設配管側へそれぞれスライドすることで、従来のように既設配管の切除両端を押し広げる必要がなくなり、既設配管に負担をかけずに容易に補修できる。
【０００８】
また、既設配管を切除する際、既設配管と継手管との継目はカバー管で覆われるから、正確な寸法に切除する必要がなく作業性に優れるとともに接着剤で接着するから気密性も十分で、さらにゴムパッキン等も使用しないから低コストであり、場所を選ばず容易且つ確実に短時間に補修作業が行える。
【０００９】
【発明の実施の形態】
本発明の配管の補修方法は、主として塩化ビニル樹脂等のプラスチック管に好適であるが、その他材質でも切除や接着が可能であれば適用できる。カバー管の長さは配管の直径と略同じ長さが一般的であるが、配管の材質や流れる流体に応じて所要の寸法に任意に形成される。また、補修に限らず配管の延長や分岐の工事に応用してもよい。以下、本発明の各実施例を図面に基づいて具体的に説明する。
【００１０】
【実施例】
図１〜３に示す実施例１は、排水配管の損傷箇所の補修に本発明を適用した例である。図１は実施例１の補修管の斜視図、図２は図１のＡ−Ａ断面図、図３は実施例１の配管の補修工程を示す説明図である。図中、１は継手管を補修用として用いる補修管、２は管部材、３はカバー管、３ａは指掛け片、４は既設配管、４ａは掛止片、５は損傷箇所、６は接着剤、７は継目である。
【００１１】
実施例１では、図１，２に示すように塩化ビニル樹脂製で外径６０ｍｍ、補修すべき所定長さの管部材２の外周に、同じく塩化ビニル樹脂製で内径６０．５ｍｍ、長さ６０ｍｍで両端外周縁に高さ５ｍｍの指掛け片３ａが形成されたカバー管３を２体スライド自在に嵌挿して補修管１を構成している。
【００１２】
図３（ａ）に示すように、まず既設配管４の損傷箇所５よりそれぞれ５０ｍｍ程離隔する部分を電動ノコ等の切断装置で切断して配管途中を欠落させ、前記補修管１の管部材２の長さを欠落幅より１ｍｍ程短い寸法にカットし、図３（ｂ）に示すように２体のカバー管３を中央側にスライドさせて両端部を露出させた状態で欠落部分に既設配管４と管部材２が連通するように配置し、既設配管４のカバー管３のスライド止め位置に管部材を加工して形成した掛止片４ａを接着する。
【００１３】
次に、図３（ｃ）に示すように管部材２の両端部外周の幅２０ｍｍ程の部分と既設配管４の切除端外周の幅２０ｍｍ程の部分に塩化ビニル樹脂を溶かすアセトン系の接着剤６をハケ等で十分に塗布し、必要に応じて重ね塗りし、所要の時間をおいて塩化ビニル樹脂が溶化し始めた時点で図３（ｄ）に示すように各カバー管３を既設配管４と管部材２の継目７を覆うようにそれぞれ既設配管４側へ掛止片４ａまでスライドさせて掛止する。このとき、スライドが固くてもカバー管３に指掛け片３ａが形成されているから力を入れ易く、掛止片４ａで正確な位置に停止できる。その後、所要の時間をおいて接着剤６を硬化させることで補修が完了する。
【００１４】
図４〜６に示す実施例２は、排水配管の途中を分岐させて枝管を配管する例である。図４は実施例２の分岐管の斜視図、図５は図４のＡ−Ａ断面図、図６は実施例２の配管の分岐工程を示す説明図である。図中、８は継手管を分岐用として用いる分岐管、９は管部材、１０は分岐路、１１は枝管、１１ａは掛止片である。
【００１５】
実施例２では、図４，５に示すように塩化ビニル樹脂製で外径６０ｍｍ、補修すべき所定長さの管部材９の外面中央部に同径の分岐路１０を突設し、管部材９の両側及び分岐路１０の外周に、同じく塩化ビニル樹脂製で内径６０．５ｍｍ、長さ６０ｍｍで両端外周縁に高さ５ｍｍの指掛け片３ａが形成されたカバー管３をそれぞれスライド自在に嵌挿して分岐管８を構成している。
【００１６】
図６（ａ）に示すように、まず既設配管４の分岐すべき箇所を電動ノコ等の切断装置で切断して配管途中を欠落させ、前記分岐管８の管部材９の長さを欠落幅より１ｍｍ程短い寸法にカットし、図６（ｂ）に示すように３体のカバー管３を中央側にスライドさせて各端部を露出させた状態で欠落部分に既設配管４と管部材９と枝管１１が連通するように配置し、既設配管４及び枝管１１のカバー管３のスライド止め位置に管部材を加工して形成した掛止片４ａ，１１ａを接着する。
【００１７】
次に、図６（ｃ）に示すようにそれぞれの突き合わせた各端部外周の幅２０ｍｍ程の部分にアセトン系の接着剤６をハケ等で充分に塗布し、必要に応じて重ね塗りし、所要の時間をおいて塩化ビニル樹脂が溶化し始めた時点で図６（ｄ）に示すように各カバー管３を各継目７を覆うようにそれぞれ既設配管４側と枝管１１側へ掛止片４ａ，１１ａまでスライドさせて掛止する。このとき、スライドが固くてもカバー管３に指掛け片３ａが形成されているから力を入れ易く、掛止片４ａ，１１ａで正確な位置に停止できる。その後、所要の時間をおいて接着剤６を硬化させることで分岐が完了する。
【００１８】
【発明の効果】
以上説明したように、本発明によれば従来のように既設配管の切除両端を押し広げる必要がなくなり、既設配管に負担をかけずに容易に補修できる。また、既設配管を切除する際、既設配管と補修管との継目はカバー管で覆われるから、正確な寸法に切除する必要がなく作業性に優れるとともに接着剤で接着するから気密性も十分で、さらにゴムパッキン等も使用しないから低コストであり、場所を選ばず容易且つ確実に短時間に補修作業が行える。
【図面の簡単な説明】
【図１】実施例１の補修管の斜視図である。
【図２】図１のＡ−Ａ断面図である。
【図３】実施例１の配管の補修工程を示す説明図である。
【図４】実施例２の分岐管の斜視図である。
【図５】図４のＡ−Ａ断面図である。
【図６】実施例２の配管の分岐工程を示す説明図である。
【図７】従来の配管の補修を示す説明図である。
【図８】従来の配管の補修を示す説明図である。
【符号の説明】
１  補修管
２  管部材
３  カバー管
３ａ  指掛け片
４  既設配管
４ａ  掛止片
５  損傷箇所
６  接着剤
７  継目
８  分岐管
９  管部材
１０  枝管分岐路
１１  枝管
１１ａ  掛止片
２１  継手管
２２  段差部
２３  ゴムパッキン
２４  既設配管
２５  補修管
２６  カバー管
２７  接着剤
【図１】
2004156752.tif 000003
【図２】
2004156752.tif 000004
【図３】
2004156752.tif 000005
【図４】
2004156752.tif 000006
【図５】
2004156752.tif 000007
【図６】
2004156752.tif 000008
【図７】
2004156752.tif 000009
【図８】
2004156752.tif 000010